(57)【要約】      （修正有）【課題】肌に優しく、石けんの泡立ちも良い低コストなあかすりタオルを提供する。【解決手段】並列した複数の緯糸１２が、並列した複数の経糸１４を上下に縫うことによって織られた平織部１６と、並列した複数の緯糸１２の一部が、複数の経糸１４の上側にのみ位置し、並列した複数の緯糸１２のうちの残りの部分が複数の経糸１４の下側にのみ位置する分割織部１８と、を備え、分割織部１８の面積は、０．５mm2以上であり、分割織部１８を複数存在することにより、あかすりタオル１０の片面の表面積内における分割織部１８面積の比率割合と配置構成によって、泡立ち性と肌触り感を調整可能にする。【選択図】図１
2014100257.tif 000002
【特許請求の範囲】
【請求項１】
あかすりに用いられるあかすりタオルであって、
並列した複数の緯糸が、並列した複数の経糸を上下に縫うように交互に織られた平織部と、
並列した複数の緯糸の一部が、複数の経糸の上側にのみ位置し、前記並列した複数の緯糸のうちの残りの部分が前記複数の経糸の下側にのみ位置する分割織部と、
を備え、
前記分割織部の面積は、少なくとも０．５mm2以上であり、
前記分割織部を複数存在させることにより、前記あかすりタオルの片面の表面積内における該分割織部面積の比率割合と配置構成によって、泡立ち性と肌触り感を調整可能なあかすりタオル。
【請求項２】
前記あかすりタオルの表面に前記分割織部が千鳥状に配置されている請求項１に記載のあかすりタオル。
【請求項３】
前記あかすりタオルの表面の長手方向に帯状に一以上の分割織部が配置されている請求項１に記載のあかすりタオル。
【請求項４】
前記あかすりタオルの表面の少なくとも一部に前記分割織部と前記平織部とが市松模様状に配置されている請求項１に記載のあかすりタオル。
【請求項５】
前記分割織部の緯糸の撚りがほどかれることにより、該緯糸を構成する繊維の束の直径が、撚られた状態の時の直径よりも大きくなっている請求項１〜４のいずれか１項に記載のあかすりタオル。
【請求項６】
前記分割織部において、
前記複数の緯糸の一部が、並列した複数の経糸の一部を上下に縫うように交互に織られた上織部と、
前記複数の緯糸の一部以外の緯糸が、前記並列した複数の経糸の一部以外の経糸を上下に縫うように交互に織られた下織部と、
の二重の平織りから成ることで、
係る二重構造の内部に中空部を有する分割織部あることを特徴とする請求項１〜５のいずれか１項に記載のあかすりタオル。
【請求項７】
前記請求項６の分割織部における前記上織部と前記下織部の構成が、
並列した複数の緯糸の一部が複数の経糸の上側にのみ位置し、前記並列した複数の緯糸のうちの残りの部分が前記複数の経糸の下側にのみ位置する請求項１に記載の構成からなる分割織部を二重にしたものであるあることを特徴とする請求項６に記載のあかすりタオル。
【発明の詳細な説明】
【技術分野】
【０００１】
本発明は、あかすりに用いられるあかすりタオルに関し、詳しくは、あかすりタオルの表面上に、空気や石けんを取り込み易くした接触分割織部を備え、該分割織部が複数存在することにより、肌に優しく石けんの泡立ちの良いあかすりタオルとなる技術分野に関するものである。
【背景技術】
【０００２】
従来、あかすりに用いられるものとしては、ヘチマなどの天然物と、化学繊維等から製造されるあかすりタオルなどがある。ヘチマなどは、古来より使用され肌に良いとされている。また、あかすりタオルは、いろいろな繊維を用いた様々なデザインのものが製造されている。
【０００３】
このようなあかすりタオルの一つとして特許文献１に記載のあかすりタオルは、熱可塑性フィラメント糸２０〜８０デニールを経糸として使用し、熱可塑性高収縮糸２０〜４０デニールと熱可塑性嵩高加工糸１５０〜２５０デニールとの引き揃え糸と天然繊維糸３００〜７００デニール相当とを数本毎に交互に緯糸として使用して織成した織物を熱水中で揉んで熱可塑性高収縮糸を収縮させ、天然繊維糸の凸部を形成したことを備えている。これにより、適度の吸水性、ソフトな肌触りに優れ、しかも適度の摩擦効果を有し、泡立ちも良好なあかすりタオルを提供することができるとしている。
【先行技術文献】
【特許文献】
【０００４】
【特許文献１】特開平９−２８５４２１号公報
【発明の概要】
【発明が解決しようとする課題】
【０００５】
しかしながら、ヘチマなどの天然物は、肌質によっては炎症を起こすこともあり、その形状のため洗いにくい場合も多い。また、化学繊維から製造されるあかすりタオルは、肌に優しくなく、石けんの泡立ちも良くないという問題があった。
【０００６】
更に、特許文献１に記載のあかすりタオルは、複数の径の糸を用い、かつ、製造工程が複雑であるために高コストなものとなっていた。
【０００７】
本発明は、このような事情に鑑みてなされたもので、肌に優しく、石けんの泡立ちも良い低コストなあかすりタオルを提供しようとするものである。
【課題を解決するための手段】
【０００８】
上記本発明の課題は、下記の発明により解決することができる。即ち、本発明のあかすりタオルは、あかすりに用いられるあかすりタオルであって、並列した複数の緯糸が、並列した複数の経糸を上下に縫うように交互に織られた平織部と、並列した複数の緯糸の一部が、複数の経糸の上側にのみ位置し、前記並列した複数の緯糸のうちの残りの部分が前記複数の経糸の下側にのみ位置する分割織部と、を備え、前記分割織部の面積は、０．５mm2以上であり、前記分割織部を複数存在させることにより、前記あかすりタオルの片面の表面積内における該分割織部面積の比率割合と配置構成によって、泡立ち性と肌触り感を調整可能にすることを主要な特徴にしている。
これにより、肌に優しく石けんの泡立ちの良いあかすりタオルとなる。
なお、本書面において、「織る」の文字の意味合いには、本願発明と実質的に同一のものを製作できる限りにおいて、「編む」という技術的手段を含むものとする。
【０００９】
また、本発明のあかすりタオルは、前記あかすりタオルの表面に前記分割織部が千鳥状に配置されていることを主要な特徴にしている。
これにより、肌に優しく石けんの泡立ちの良いあかすりタオルとすることができる。
【００１０】
更に、本発明のあかすりタオルは、前記あかすりタオルの表面の長手方向に帯状に一以上の分割織部が配置されていることを主要な特徴にしている。ｌ
これにより、肌に優しく石けんの泡立ちの良いあかすりタオルとすることができる。
【００１１】
更にまた、本発明のあかすりタオルは、前記あかすりタオルの表面の少なくとも一部に前記分割織部と前記平織部とが市松模様状に配置されていることを主要な特徴にしている。
これにより、肌に優しく石けんの泡立ちの良いあかすりタオルとすることができる。
【００１２】
また、本発明のあかすりタオルは、前記分割織部の緯糸の撚りがほどかれることにより、該緯糸を構成する繊維の束の直径が、撚られた状態の時の直径よりも大きくなっていることを主要な特徴にしている。
これにより、なおいっそう、肌に優しく石けんの泡立ちの良いあかすりタオルとすることができる。
【発明の効果】
【００１３】
本発明にに係るあかすりタオルによれば、中空部の領域内に水分と石けんを保持するため泡立ちを良くすると共に、前記分割織部の形成力を意図的に弱くすることで肌に優しい感触の柔らかさ創出できるという優れた効果を奏する。
【００１４】
また、本発明に係るあかすりタオルによれば、前記効果を低コストに需用者に提供できるといった優れた効果も奏する。
【図面の簡単な説明】
【００１５】
【図１】本発明に係るあかすりタオルの構造を示す説明図である。
【図２】分割織部の経糸の長手方向に垂直な方向の断面図である。
【図３】分割織部のあかすりタオル表面上での配置を示す図である。
【図４】経糸の長手方向に垂直な断面の概略斜視図である。
【図５】本発明に係る実施例の分割織部の状態説明図である。
【発明を実施するための形態】
【００１６】
以下、添付図面に従って本発明の好ましい実施の形態について説明する。本発明は以下の好ましい実施の形態により説明されるが、本発明の範囲を逸脱すること無く、多くの手法により変更を行うことができ、本実施の形態以外の他の実施の形態を利用することができる。従って、本発明の範囲内における全ての変更が特許請求の範囲に含まれる。また、本明細書において「〜」を用いて表される数値範囲は、「〜」の前後に記載される数値を含む範囲を意味する。
【００１７】
＜構成＞
本発明のあかすりタオルの一実施形態について図面を参照して説明する。図１は、本発明に係るあかすりタオルの構造を示す説明図であり、図１（ａ）は平織部１６と分割織部１８との面積比率が約３対１の場合を例示し、図１（ｂ）は分割織部１８の最小となる構成を示している。
【００１８】
図１に示すように、あかすりタオル１０は、並列した複数の緯糸１２と、並列した複数の経糸１４とを備え、緯糸１２と経糸１４とによって織られて構成されている。緯糸１２と、経糸１４とには、絹、綿、麻等の天然繊維や、ナイロン、ポリエステル等の化学繊維を用いることができるが、耐久性や、皮膚の洗浄力の観点からナイロンが好ましい。
【００１９】
また、あかすりタオル１０は、並列した複数の緯糸１２が、並列した複数の経糸１４を上下に縫うことによって織られた平織部１６と、並列した複数の緯糸１２の一部が、複数の経糸１４の上側にのみ位置し、前記複数の緯糸１２のうちの残りの部分が前記複数の経糸１４の下側にのみ位置する分割織部１８と、を有している。
【００２０】
ここで図１には、平織部１６は、緯糸１２が、経糸１４を順番に交互に上下に縫ってゆく平織りが描かれているが、平織りに限定されるものではなく、しゅす織り、綾織り等通常用いられる織り方を採用することができる。
【００２１】
よって、本発明において平織部の表現は、平織りされた部分に限定されるものではなく、しゅす織り、綾織りされた部分をも含むものである。しかしながら、本発明者の鋭意研究により、あかすりタオルの耐久性、泡立ち等の観点から平織が好ましいことを見いだした。
【００２２】
分割織部１８は、並列している緯糸１２の一部が経糸１４の上部に位置し、並列している緯糸１２の残りの部分が経糸１４の下部に位置している。図においては、緯糸１２の長手方向の一部が分割織部１８になっているが、これに限定されるものではなく、緯糸１２の長手方向全体にわたって分割織部１８になっていても良い。但し、この場合は、分割織部１８の隣、即ち分割織部１８の位置から経糸１４の長手方向の隣には、平織部１６が存在することになる。
【００２３】
分割織部１８の緯糸１２は、経糸１４の上部または下部に位置するのみで、経糸１４に織り込まれていないため、中空部３０が生まれ、この部分の緯糸１２は、肌にこすられたときに平織部１６の緯糸１２よりもしなりが大きく、肌あたりが柔らかく肌に優しい。
【００２４】
また、分割織部１８の緯糸１２が、平織部１６の緯糸１２よりもしなりが大きいこと、及び、分割織部１８が、平織部１６よりも目が荒いので空気を多く含むことができることにより、分割織部１８は、石けんの泡立ちをよくすることができる。
【００２５】
本発明者は、鋭意研究により、分割織部１８の一つの面積が０．５mm2以上であり、かつ、この分割織部１８が複数存在させることにより、あかすりタオルは、肌に優しく石けんの泡立ちが良くなることを発見し、前記あかすりタオル１０の片面の表面積内における該分割織部１８の面積の比率割合と配置構成によって、泡立ち性と肌触り感を調整可能にすることを見いだした。
【００２６】
分割織部１８一つの面積が０．５mm2未満の場合は、中空部３０の領域が小さいため、肌への優しさが感じられにくく、石けんの泡立ちも良くなかった。また、あかすりタオルの片面の表面積のうち分割織部１８の割合が10%未満の場合は、肌への優しさが感じられにくく、石けんの泡立ちも良なかった。分割織部１８の割合が70%より大きい場合は、分割織部１８の耐久性が極端に悪くなり、結果として、あかすりタオルの寿命が短くなった。
【００２７】
なお、本発明者は、肌への優しさ、石けんの泡立ち、あかすりタオルの寿命の観点から分割織部１８一つの面積が０．５mm2以上であり、かつ、この分割織部１８が複数存在することにより、あかすりタオルの片面の表面積の10%〜70%が分割織部であることが望ましく、分割織部１８の一つの面積が10mm2以上、かつ、あかすりタオルの片面の表面積の20%〜60%が分割織部であることがより望ましく、分割織部１８の一つの面積が20mm2以上、かつ、あかすりタオルの片面の表面積の30%〜50%が分割織部１８であることが最も好ましいことも発見した。
【００２８】
次に図２を参照して説明する。図２は、分割織部１８の経糸１４の長手方向に垂直な方向の断面図である。図２では、分割織部１８の緯糸１２の撚りがほどけて繊維２０が膨らんでいるように示されているが、緯糸１２を構成する繊維２０の撚りがほどかれてもほどかれなくても、本発明に係る分割織り部１８の構成によりその効果を発揮するものである。しかし、撚りがほどかれることにより、繊維２０の束の直径が撚られた状態の直径よりも太くなるように繊維２０がばらければ、より肌に優しく、石けんの泡立ちも良くなる。なお、図２（ａ）は緯糸１２の所定の本数毎に経糸１４の上面と下面に配置した構成を示し、図２（ｂ）は分割織部１８において、緯糸１２が経糸１４に対し、緯糸１６の所定の本数毎に経糸１４の上面か下面かのいずれか片側（図面では上側）に配置した構成を示している。
【００２９】
次に、分割織部１８の配置について図面を参照して説明する。図３は、分割織部１８のあかすりタオル表面上での配置を示す図である。図３（ａ）は、経糸の長手方向に帯状に分割織部１８が配置されている図である。この図に示すように、あかすりタオルの表面の長手方向に帯状に一以上の分割織部１８を配置することにより、肌触り良く、石けんの泡立ちも良好にすることができる。
【００３０】
また、図３（ｂ）に示すように、この帯状の部分の中で、市松模様状に分割織部１８と平織部１６とを配置しても肌触り良く、石けんの泡立ちも良好にすることができる。
更に、図３（ｃ）に示すように、分割織部１８を千鳥状に配置しても肌触り良く、石けんの泡立ちを良好にすることができる。
【００３１】
次に図４を参照して他の実施形態について説明する。図４は、請求項６に係る分割織部１８を示すもので、経糸１４の長手方向に垂直な断面の概略斜視図である。該分割織部１８は、図4に示すように上織部２２と下織部２４との二重構造で構成される。
【００３２】
上織部２２は、前記複数の緯糸１２の一部が、並列した複数の経糸１４の一部を上下に縫うように交互に織られた上面の平織面から構成され、
【００３３】
下織部２４は、前記複数の緯糸１２の一部以外の緯糸１２が、前記並列した複数の経糸１４の一部以外の経糸１４を上下に縫うように交互に織られた下面の平織面から構成される。
【００３４】
これを別の表現にすれば、即ち、分割織部１８において、平織部１６の半分の本数の緯糸１２と、同様に半分の本数の経糸１４によって、平織部１６よりも目の粗い上織部２２と、下織部２４に分けて二重の平織面を織るというものである。
【００３５】
これにより、上織部２２と下織部２４との間に中空部３０の空隙が生まれるので、そこに空気と水と石けんが巻き込まれて泡立ちが良くなる。また、上織部２２と下織部２４とは互いに大きくしなり、また、ずれ易くなるので、肌をこすったときの感触が平織部１６よりも肌に優しくなる。
【００３６】
また、本発明のあかすりタオルは、分割織部１８の占める面積割合を増やすことにより、肌触りを柔らかくすることができる。よって、肌触りの異なるあかすりタオルを、分割織部１８の割合を変更するだけで容易に製造することができる。さらに、本発明のあかすりタオルは、特に困難な製造工程を用いることなく、かつ、特殊な材料を使用することもないので低コストで製造することができる。
【００３７】
また、請求項７に係るあかすりタオル１０は、請求項６の分割織部１８における前記上織部２２と前記下織部２４の構成が、それぞれ請求項１に係る分割織部１８の構成から成ものである。図示はしないが、即ち、並列した複数の緯糸１２の一部が複数の経糸１４の上側にのみ位置し、前記並列した複数の緯糸１２のうちの残りの部分が前記複数の経糸１４の下側にのみ位置するという、請求項１に記載の分割織部１８の構成を、平織部１６の半分の本数の緯糸１２と経糸１４によって、平織部１６よりも目の粗い分割織部１８の構成からなる上織部２２と下織部２４に分けて二重に織るというものである。
【００３８】
＜作動＞
次に、本発明のあかすりタオル１０を使用したときの作動について説明する。図１を参照して、あかすりタオル１０を水とせっけんをつけてもむことにより、特に分割織部１８部分の大きい空隙と、分割織部１８部分のしなりの大きい緯糸１２により容易に石けんを泡立たせることができる。
【００３９】
分割織部１８の緯糸１２の撚りがほどけ、或いは緯糸１２が経糸１４を縫うように交互に織られていないことから、中空部３０に捕らえられる水と石けんが擦れ合い、容易に石けんを泡立たせることができる。
【００４０】
次にこのあかすりタオルで皮膚をこすったとき、分割織部１８の緯糸１２は、経糸１４に織り込まれていないために生じるそのしなりの大きさによって肌触りを優しくすることができる。分割織部１８の緯糸１２の撚りがほどけ、繊維２０がばらけているとき（図２参照）は、その細い大量の繊維２０が撓みやすくなり、更に肌触りが柔らかくなる。
また、上織部２２と下織部２４のしなりの大きさによっても肌触りを優しくすることができる。
【００４１】
このように、分割織部１８により肌触りを優しく、柔らかくすることができるので、分割織部１８と平織部１６の割合を変更することにより、容易に肌触り感を調整して、触感の異なるあかすりタオルを製造することができる。
【００４２】
図５は、本発明に係る分割織部１８の形成状態をより明確に示すための説明図（写真）である。図５（ａ）は、分割織部１８を市松模様状に配置した構成を採用した場合での、分割織部１８と平織部１６の表面状態の相違を現したものであり、図５（ｂ）は、係る分割織部１８のワンブロック部分（１８ｘ×１８ｙ）周辺を拡大したものである。特に、図５（ｂ）では平織部１６の表面状態と比較して分割織部１８の方がふわふわとした感じになっていることがわかる。なお、写真を用いたのは、該ふわふわ感を図面では表しにくいためであり、図５に係る写真の実施例では、経糸１４に３０デニール、緯糸１２に８４０デニールと４２０デニールの異なった太さと色彩の緯糸１２を混在させた場合の例である。
【符号の説明】
【００４３】
１０    タオル
１２    緯糸
１４    経糸
１６    平織部
１８    分割織部
２０    繊維
２２    上織部
２４    下織部
３０    中空部
【図１】
2014100257.tif 000003
【図２】
2014100257.tif 000004
【図３】
2014100257.tif 000005
【図４】
2014100257.tif 000006
【図５】
2014100257.tif 000007
【手続補正書】
【提出日】平成25年5月27日(2013.5.27)
【手続補正１】
【補正対象書類名】特許請求の範囲
【補正対象項目名】全文
【補正方法】変更
【補正の内容】
【特許請求の範囲】
【請求項１】
あかすりに用いられるあかすりタオルであって、
並列した複数の緯糸が、並列した複数の経糸を上下に縫うように交互に織られた平織部と、
並列した複数の緯糸の一部が、複数の経糸の上側にのみ位置し、前記並列した複数の緯糸のうちの残りの部分が前記複数の経糸の下側にのみ位置する分割織部と、
を備え、
前記分割織部の面積は、少なくとも０．５mm2以上であり、
前記分割織部を複数存在させることにより、前記あかすりタオルの片面の表面積内における該分割織部の面積の比率割合と配置構成によって、泡立ち性と肌触り感を調整可能なあかすりタオル。
【請求項２】
前記あかすりタオルの表面に前記分割織部が千鳥状に配置されている請求項１に記載のあかすりタオル。
【請求項３】
前記あかすりタオルの表面の長手方向に帯状に一以上の分割織部が配置されている請求項１に記載のあかすりタオル。
【請求項４】
前記あかすりタオルの表面の少なくとも一部に前記分割織部と前記平織部とが市松模様状に配置されている請求項１に記載のあかすりタオル。
【請求項５】
前記分割織部の緯糸の撚りがほどかれることにより、該緯糸を構成する繊維の束の直径が、撚られた状態の時の直径よりも大きくなっている請求項１〜４のいずれか１項に記載のあかすりタオル。
【請求項６】
前記分割織部において、
前記複数の緯糸の一部が、並列した複数の経糸の一部を上下に縫うように交互に織られた上織部と、
前記複数の緯糸の一部以外の緯糸が、前記並列した複数の経糸の一部以外の経糸を上下に縫うように交互に織られた下織部と、
の二重の平織りから成ることで、
係る二重構造の内部に中空部を有する分割織部があることを特徴とする請求項１〜５のいずれか１項に記載のあかすりタオル。
【手続補正２】
【補正対象書類名】明細書
【補正対象項目名】０００８
【補正方法】変更
【補正の内容】
【０００８】
上記本発明の課題は、下記の発明により解決することができる。即ち、本発明のあかすりタオルは、あかすりに用いられるあかすりタオルであって、並列した複数の緯糸が、並列した複数の経糸を上下に縫うように交互に織られた平織部と、並列した複数の緯糸の一部が、複数の経糸の上側にのみ位置し、前記並列した複数の緯糸のうちの残りの部分が前記複数の経糸の下側にのみ位置する分割織部と、を備え、前記分割織部の面積は、０．５mm2以上であり、前記分割織部を複数存在させることにより、前記あかすりタオルの片面の表面積内における該分割織部の面積の比率割合と配置構成によって、泡立ち性と肌触り感を調整可能にすることを主要な特徴にしている。
これにより、肌に優しく石けんの泡立ちの良いあかすりタオルとなる。
なお、本書面において、「織る」の文字の意味合いには、本願発明と実質的に同一のものを製作できる限りにおいて、「編む」という技術的手段を含むものとする。
【手続補正３】
【補正対象書類名】明細書
【補正対象項目名】００１２
【補正方法】変更
【補正の内容】
【００１２】
また、本発明のあかすりタオルは、前記分割織部の緯糸の撚りがほどかれることにより、該緯糸を構成する繊維の束の直径が、撚られた状態の時の直径よりも大きくなっていることを主要な特徴にしている。さらにまた、本発明のあかすりタオルは、前記分割織部において、  前記複数の緯糸の一部が、並列した複数の経糸の一部を上下に縫うように交互に織られた上織部と、前記複数の緯糸の一部以外の緯糸が、前記並列した複数の経糸の一部以外の経糸を上下に縫うように交互に織られた下織部と、の二重の平織りから成ることで、係る二重構造の内部に中空部を有する分割織部があることを主要な特徴にしている。
これにより、なおいっそう、肌に優しく石けんの泡立ちの良いあかすりタオルとすることができる。
【手続補正４】
【補正対象書類名】明細書
【補正対象項目名】００１３
【補正方法】変更
【補正の内容】
【００１３】
本発明に係るあかすりタオルによれば、中空部の領域内に水分と石けんを保持するため泡立ちを良くすると共に、前記分割織部の形成力を意図的に弱くすることで肌に優しい感触の柔らかさ創出できるという優れた効果を奏する。